(57)【要約】      （修正有）【課題】異なる成分の混合が早過ぎ、或いは外界と接触し、変質するという従来の水素水製剤に存在する問題を解決可能な水素水製剤の充填に用いるカプセルを提供する。【解決手段】第一カプセル体は２個の第一半殼体１１を有する。２個の第一半殼体１１は連接し、第一収容空間１２を形成する。第二カプセル体は第一収容空間１２中に収容されている。第二カプセル体は２個の第二半殼体２１を有する。２個の第二半殼体２１は連接し、第二収容空間２２を形成する。第三カプセル体は第二収容空間２２中に収容されている。第三カプセル体は２個の第三半殼体３１を有する。２個の第三半殼体３１は連接し、第三収容空間３２を形成する。第一収容空間１２、第二収容空間２２、第三収容空間３２には、水素水製剤の異なる成分が充填されている。【選択図】図３
0003189451.tif 000002
【実用新案登録請求の範囲】
【請求項１】
水素水製剤の充填に用いるカプセルであって、第一カプセル体、第二カプセル体、第三カプセル体を備え、
前記第一カプセル体は、矩形体である２個の第一半殼体、および、２個の前記第一半殼体が連接することで形成されている第一収容空間を有し、
前記第二カプセル体は、前記第一収容空間の中に収容されており、矩形体である２個の第二半殼体、および、２個の前記第二半殼体が連接することで形成されている第二収容空間を有し、
前記第三カプセル体は、前記第二収容空間の中に収容されており、矩形体である２個の第三半殼体を、および、２個の前記第三半殼体が連接することで形成されている第三収容空間を有することを特徴とする水素水製剤充填に用いるカプセル。
【請求項２】
前記第一カプセル体には、第一注入孔及び第一排気孔が形成されており、２個のストッパにより、前記第一注入孔及び前記第一排気孔が塞がれていることを特徴とする請求項１に記載の水素水製剤充填に用いるカプセル。
【請求項３】
前記第二カプセル体には、第二注入孔及び第二排気孔が形成されており、２個のストッパにより、前記第二注入孔及び前記第二排気孔が塞がれていることを特徴とする請求項１に記載の水素水製剤充填に用いるカプセル。
【請求項４】
前記第三カプセル体には、第三注入孔及び第三排気孔が形成されており、２個のストッパにより、前記第三注入孔及び前記第三排気孔が塞がれていることを特徴とする請求項１に記載の水素水製剤充填に用いるカプセル。
【請求項５】
前記第一カプセル体は、２個の前記第一半殼体の周縁に、第一嵌合ブロック及び第一嵌合槽が設置されており、２個の前記第一半殼体が前記第一嵌合ブロックと前記第一嵌合槽との嵌合により一体に連接されていることを特徴とする請求項１に記載の水素水製剤充填に用いるカプセル。
【請求項６】
前記第二カプセル体は、２個の前記第二半殼体の周縁に、第二嵌合ブロック及び第二嵌合槽が設置されており、２個の前記第二半殼体が前記第二嵌合ブロックと前記第二嵌合槽との嵌合により一体に連接されていることを特徴とする請求項１に記載の水素水製剤充填に用いるカプセル。
【請求項７】
前記第三カプセル体は、２個の前記第三半殼体に第三嵌合ブロック及び第三嵌合槽が設置されており、２個の前記第三半殼体が前記第三嵌合ブロックと前記第三嵌合槽との嵌合により一体に連接されていることを特徴とする請求項１に記載の水素水製剤の充填に用いるカプセル。  
【考案の詳細な説明】
【技術分野】
【０００１】
本考案は、隔絶された複数の収容空間を有する多層式カプセルに関し、水素水製剤の異なる成分を充填することが可能である水素水製剤の充填に用いるカプセルに関する。
【背景技術】
【０００２】
人体は、水素水製剤により適時に水素分子を補充し、健康を維持することができる。
例えば、細胞含水量を拡大し、傷口の修復をサポートし、アンチエイジングや気管支の不快な症状の緩和などの効果を期待することができる。
【０００３】
また、水素水製剤を熱い入浴水中に溶解し、或いは基礎化粧品に添加することで、水素分子を皮膚から浸透させることができる。
水素分子は、極めて優れた抗酸化剤であり、皮膚コラーゲンの合成を促進することもできるため、紫外線による皮膚の老化に対しても明確な改善作用がある。
【０００４】
さらに、一般の薬物類抗酸化剤(ビタミンC、E)は、消化器による吸收の過程を経る必要があるため、薬物血中濃度がピーク値に達するまでにはある程度の時間がかかる。
そのため、ある種の急性疾病の治療に対する効果は高くない。
一方、水素分子は、非常に素早く拡散するため、薬物血中濃度がピーク?に達するまでの時間が比較的短い。
よって、人体内のフリーラジカルを迅速に排出することができる。
【考案の概要】
【考案が解決しようとする課題】
【０００５】
しかし、水素分子には使用において問題点があり、改善する必要がある。具体的には下記の通りである。
【０００６】
水素分子は、常圧下での溶解度が低いため、溶液中でリリースされる。
本考案は、上述の問題に鑑みてなされたものであり、その目的は、水素水製剤中で水素分子の濃度を維持することができる水素水製剤充填に用いるカプセルを提供することにある。
【課題を解決するための手段】
【０００７】
本考案による水素水製剤の充填に用いるカプセルは、第一カプセル体、第二カプセル体、および、第三カプセル体を備える。
第一カプセル体は、矩形体である２個の第一半殼体、および、２個の第一半殼体が連接することで形成されている第一収容空間を有する。
第二カプセル体は、第一収容空間の中に収容されており、矩形体である２個の第二半殼体、および、２個の第二半殼体が連接することで形成されている第二収容空間を有する。
第三カプセル体は、第二収容空間の中に収容されており、矩形体である２個の第三半殼体を、および、２個の第三半殼体が連接することで形成されている第三収容空間を有する。  第一カプセル体には、第一注入孔及び第一排気孔が形成されており、２個のストッパにより、第一注入孔及び第一排気孔が塞がれている。
第二カプセル体には、第二注入孔及び第二排気孔が形成されており、２個のストッパにより、第二注入孔及び第二排気孔２４が塞がれている。
第三カプセル体には、第三注入孔及び第三排気孔が形成されており、２個のストッパにより、第三注入孔及び第三排気孔が塞がれている。
第一カプセル体は、２個の第一半殼体の周縁に、第一嵌合ブロック及び第一嵌合槽が設置されており、２個の第一半殼体が第一嵌合ブロックと第一嵌合槽との嵌合により一体に連接されている。
第二カプセル体は、２個の第二半殼体の周縁に、第二嵌合ブロック及び第二嵌合槽が設置されており、２個の第二半殼体が第二嵌合ブロックと第二嵌合槽との嵌合により一体に連接されている。
第三カプセル体は、２個の第三半殼体に、第三嵌合ブロック及び第三嵌合槽が設置されており、２個の第三半殼体が、第三嵌合ブロックと第三嵌合槽との嵌合により一体に連接されている。
【０００８】
本考案の効果は下記の通りである。
（１）本考案の第一殼体、第二殼体、第三殼体は、矩形体を呈するため、相対する第一殼体、第二殼体、第三殼体を結合する時、組立てが容易であり、矩形体の形状は、カプセルを保存するときの分離または破裂を抑制することができる。
【０００９】
（２）本考案では、水素水製剤の異なる成分がそれぞれ異なる収容空間に充填されているため、使用する時に、各成分が混合溶解され水素分子を生じる。よって、人体は、高濃度の水素分子を吸収することができる。
【００１０】
（３）本考案の第一カプセル体、第二カプセル体、第三カプセル体は、水素水製剤の異なる成分を保存し、各成分が外界と接触しないよう隔絶されているため、環境の影響を受けての変質を回避することができ、長期保存に有利である。
【図面の簡単な説明】
【００１１】
【図１】本考案の一実施形態による水素水製剤の充填に用いるカプセルを示す斜視図である。
【図２】本考案の一実施形態による水素水製剤の充填に用いるカプセルを示す分解断面図である。
【図３】本考案の一実施形態による水素水製剤の充填に用いるカプセルを示す組み合わせ断面図である。
【図４】本考案の一実施形態による水素水製剤の充填に用いるカプセルの使用状態を示す模式図である。
【考案を実施するための形態】
【００１２】
本考案の実施形態による水素水製剤の充填に用いるカプセルを図面に基づいて説明する。
（一実施形態）
本考案の第一実施形態による水素水製剤の充填に用いるカプセルを図１〜３に示す。図１〜３に示すように、本実施形態の水素水製剤の充填に用いるカプセルは、一第一カプセル体１、第二カプセル体２、第三カプセル体３を備える。
【００１３】
第一カプセル体１は、２個の第一半殼体１１を備える。
２個の第一半殼体１１周縁には、第一嵌合ブロック１１１及び第一嵌合槽１１２をそれぞれ設置する。
２個の第一半殼体１１は、第一嵌合ブロック１１１と第一嵌合槽１１２が連接して一体となり、第一収容空間１２を取り囲む。
第一半殼体１１は、矩形体である。
【００１４】
第二カプセル体２は、第一収容空間１２中に入れる。
第二カプセル体２は、２個の第二半殼体２１を備え、２個の第二半殼体２１周縁には、第二嵌合ブロック２1１及び第二嵌合槽２１２をそれぞれ設置する。
２個の第二半殼体２１は、第二嵌合ブロック２1１及び第二嵌合槽２１２により一体に連接され、第二収容空間２２を取り囲む。
第二半殼体２１は、矩形体である。
【００１５】
第三カプセル体３は、第二収容空間２２中に入れる。
第三カプセル体３は、２個の第三半殼体３１を備え、２個の第三半殼体３１には、第三嵌合ブロック３1１及び第三嵌合槽３１２をそれぞれ設置する。
２個の第三半殼体３１は、第三嵌合ブロック３1１及び第三嵌合槽３１２により一体に連接され、第三収容空間３２を取り囲む。
第三半殼体３１は、矩形体である。
【００１６】
第一殼体１１、第二殼体２１、第三殼体３１は、矩形体を呈するため、相対する第一殼体１１、第二殼体２１、第三殼体３１を結合する時、組立てが容易である。
第一カプセル体１、第二カプセル体２、第三カプセル体３は、人が食用可能な動物性ゼラチン等の水に溶解する材質で製造する。
【００１７】
さらに、第一カプセル体１上には、第一注入孔１３及び第一排気孔１４を設置し、及び２個のストッパ１５により、第一注入孔１３及び第一排気孔１４を塞ぐ。
第二カプセル体２には、第二注入孔２３及び第二排気孔２４を設置し、及び２個のストッパ２５により、第二注入孔２３及び第二排気孔２４を塞ぐ。
第三カプセル体３上には、第三注入孔３３及び第三排気孔３４を設置し、及び２個のストッパ３５により、第三注入３３及び第三排気孔３４を塞ぐ。
【００１８】
第三注入孔３３を通して、第三収容空間３２中に、水酸化カルシウム或いはサンゴカルシウムを充填する。
充填過程では、第三収容空間３２内の気体は、第三排気孔３４から排出される。
充填完成後は再び、ストッパ３５により、第三注入孔３３及び第三排気孔３４を塞ぐ。
【００１９】
乳糖、結晶セルロース(microcrystalline cellulose)、メトセルセルロース(methocel K100M)、ポリビニルピロリドン(povidone、PVP K-30)、二酸化シリコン、ステアリン酸マグネシウム(magnesium stearate)、アミノ酸、Q10、真珠粉、コラーゲンタンパクを十分に混合後、第二注入孔２３を通して、第二収容空間２２中に充填する。
充填過程では、第二収容空間２２内の気体は、第二排気孔２４から排出される。
充填完成後は、再びストッパ２５により、第二注入孔２３及び第二排気孔２４を塞ぐ。
【００２０】
第一注入孔１３を通して、第一収容空間１２中に、カリウムイオン、ナトリウムイオン、或いはカルシウムイオン等を含む電解質を充填する。
充填過程では、第一収容空間１２内の気体は、第一排気孔１４より排出される。
充填完成後は、再びストッパ１５により、第一注入孔１３及び第一排気孔１４を塞ぐ。
【００２１】
図４に示すように、本考案は、固形入浴剤、化粧品、薬品、或いは健康食品中に混合することができる。
第一収容空間１２内の電解質、第二収容空間２２内の乳糖、結晶セルロース(microcrystalline cellulose)、メトセルセルロース(methocel K100M)、ポリビニルピロリドン(povidone、PVP K-30)、二酸化シリコン、ステアリン酸マグネシウム(magnesium stearate)、アミノ酸、Q10、真珠粉、コラーゲンタンパクの混合物、及び第三収容空間３２内の水酸化カルシウム或いはサンゴカルシウムを混合して水素水製剤とするため、水素分子を発生し、人体の吸收に供することができる。
【００２２】
第一カプセル体１、第二カプセル体２、第三カプセル体３により、水素水製剤の各成分を隔絶することができる。
使用時には、揉まれて破れ、或いは人体の体温により融解し、各成分は混合して、溶解し水素分子を生じ、こうして人体は高濃度の水素分子を吸収することができる。
【００２３】
本考案カプセルを、動物飼料中に混合すれば、家禽、家畜の成長速度を10％〜40％速めることができる。
本考案カプセルを、水中に溶かし、植物栄養剤とすれば、植物の成長速度を20％〜40％速めることができる。
【００２４】
第一カプセル体１、第二カプセル体２、第三カプセル体３により、水素水製剤の各成分を装填し、各成分が外界と接触しないよう隔絶するため、環境の影響を受けての変質を回避でき、長期保存に有利である。
【００２５】
上述の実施形態の説明を総合すると、本考案の操作、使用、及び本考案が生じさせる効果を充分理解することができる。但し、以上に述べた実施形態は単に本考案の好ましい実施形態であり、これによって本考案の実用新案登録請求の範囲を限定することではない。即ち本考案の実用新案登録請求の範囲及び明細書の内容に基づいて、同等効果を有する簡単な変化及び修飾は、全て、本考案の範囲内に属するものとする。
【符号の説明】
【００２６】
１  第一カプセル体、
１１  第一半殼体、
１１１  第一嵌合ブロック、
１１２  第一嵌合槽、
１２  第一収容空間、
１３  第一注入孔、
１４  第一排気孔、
１５  ストッパ、
２  第二カプセル体、
２１  第二半殼体、
２１１  第二嵌合ブロック、
２１２  第二嵌合槽、
２２  第二収容空間、
２３  第二注入孔、
２４  第二排気孔、
２５  ストッパ、
３  第三カプセル体、
３１  第三半殼体、
３１１  第三嵌合ブロック、
３１２  第三嵌合槽、
３２  第三収容空間、
３３  第三注入孔、
３４  第三排気孔、
３５  ストッパ。    
【図１】
0003189451.tif 000003
【図２】
0003189451.tif 000004
【図３】
0003189451.tif 000005
【図４】
0003189451.tif 000006